(57)【要約】【課題】矩形のコーナー部がカットされた異形６角形である表示領域において、輝度むらや色むらを防止する。【解決手段】走査線２０と映像信号線３０に囲まれた領域にサブ画素１１が形成され、前記サブ画素１１が３個組になって画素１０が形成されている。表示領域６０は、矩形のコーナー部がカットされた形状である表示領域傾斜部６１を含む異形６角形である。表示領域傾斜部６１において、走査線２０が延在する方向におけるサブ画素１１の数は、走査線２０をまたぐ毎に表示領域６０の片側で、３サブ画素あるいはその倍数で、均一に変化する。サブ画素１１の数を均一に変化させることによって、ソースドライバ８０における映像信号の大きさの調整を容易に行うことが出来る。【選択図】図１
2012103335.tif 000002
【特許請求の範囲】
【請求項１】
走査線が第１の方向に延在して第２の方向に配列し、映像信号線が第２の方向に延在して第１の方向に配列し、前記走査線と前記映像信号線に囲まれた領域にサブ画素が形成され、前記サブ画素が３個組になって画素が形成された表示装置であって、
表示領域は、矩形のコーナー部がカットされた形状である表示領域傾斜部を含む異形６角形であり、
前記表示領域傾斜部において、前記走査線が延在する方向における前記サブ画素の数は、前記走査線をまたぐ毎に表示領域の片側で、３サブ画素あるいはその倍数で、均一に数が変化することを特徴とする表示装置。
【請求項２】
前記表示領域傾斜部において、前記走査線が延在する方向における前記サブ画素の数は、前記走査線をまたぐ毎に表示領域の片側で、３サブ画素で、均一に数が変化することを特徴とする請求項１に記載の表示装置。
【請求項３】
走査線が第１の方向に延在して第２の方向に配列し、映像信号線が第２の方向に延在して第１の方向に配列し、前記走査線と前記映像信号線に囲まれた領域にサブ画素が形成され、前記サブ画素が３個組になって画素が形成された表示装置であって、
表示領域は、矩形のコーナー部がカットされた形状である表示領域傾斜部を含む異形６角形であり、
前記表示領域傾斜部の前記走査線に対する角度は、画素の横径をｐｘ、画素の縦径をｐｙとした場合、ｔａｎ−１（ｙｐ／ｘｐ）で表され、
前記表示領域傾斜部において、前記走査線が延在する方向における前記サブ画素の数は、前記走査線をまたぐ毎に表示領域の片側で、３サブ画素あるいはその倍数で、均一に数が変化することを特徴とする表示装置。
【請求項４】
前記表示領域傾斜部において、前記走査線が延在する方向における前記サブ画素の数は、前記走査線をまたぐ毎に表示領域の片側で、３サブ画素で、均一に数が変化することを特徴とする請求項３に記載の表示装置。
【請求項５】
前記表示装置は液晶表示装置であることを特徴とする請求項１〜４のいずれか１項に記載の表示装置。
【請求項６】
前記表示装置は有機ＥＬ表示装置であることを特徴とする請求項１〜４のいずれか１項に記載の表示装置。
【発明の詳細な説明】
【技術分野】
【０００１】
本発明は表示装置に係り、特に特殊な形状の表示装置に対応するように、外形を矩形から変形させた異形となっている表示装置に関する。
【背景技術】
【０００２】
液晶表示装置に使用される液晶表示パネルは、画素電極および薄膜トランジスタ（ＴＦＴ）等を有する画素がマトリクス状に形成されたＴＦＴ基板と、ＴＦＴ基板に対向して、ＴＦＴ基板の画素電極と対応する場所にカラーフィルタ等が形成された対向基板が配置され、ＴＦＴ基板と対向基板の間に液晶が挟持されている。そして液晶分子による光の透過率を画素毎に制御することによって画像を形成している。
【０００３】
液晶表示装置はフラットで軽量であることから、色々な分野で用途が広がっている。最近では、自動車の計器盤に取り付けられる速度計等の表示にも利用されている。自動車の計器盤は、スペースを節約するために、矩形ではなく、計器盤の形状に合わせるようにコーナーをカットした形状の液晶表示装置が要求されている。この場合、表示領域も外形に合わせてコーナーがカットされた異形となる。
【０００４】
このような、コーナーがカットされた液晶表示装置の例として「特許文献１」には、コーナーをカットして、異形６角形とした液晶表示装置が記載されている。このような異形６角形とした構成において、映像信号線に接続される負荷、特に、走査線と映像信号線との容量による負荷が異なることによる輝度むらを対策するために、「特許文献１」には、表示領域の外で、映像信号線と走査線を交差させて、映像信号線に対する容量負荷を均一化させる構成が記載されている。
【０００５】
同様に、表示領域が異形になることによって負荷が異なることによって、場所ごとに輝度が変化する現象を対策する構成として、「特許文献２」には、表示領域の外で、映像信号線と走査線を公差させるともに、ダミー画素を形成して、映像信号線に対する容量負荷を均一化させる構成が記載されている。この他の異形の外形を有する液晶表示装置として、「特許文献３」が挙げられる。
【先行技術文献】
【特許文献】
【０００６】
【特許文献１】ＷＯ０２００８／０６２５７５号公報
【特許文献２】ＷＯ０２００７／１０５７００号公報
【特許文献３】特開２００８−２６１９３８号公報
【発明の概要】
【発明が解決しようとする課題】
【０００７】
矩形のコーナーをカットしたような異形の表示領域を有する液晶表示装置において、映像信号線の負荷が異なることによる輝度むらを補正するために、「特許文献１」あるいは「特許文献２」に記載のように走査線と映像信号線を表示領域外において交差させる、あるいは、表示領域の外側にダミー画素を設けるという構成は、表示領域以外にこのためのスペースを確保する必要があり、その分、コーナーカット部において、液晶表示装置の外形を大きくしてしまうという問題を有する。
【０００８】
本発明は、このような異形の表示装置において、表示領域の外側において、映像信号線の負荷を均一にするための走査線と映像信号線の交差部あるいは、映像信号線の負荷を均一にするためのダミー画素を設けることなく、輝度むらの発生を抑えた表示装置を実現することである。また、出来るだけ外形を小さくした異形の表示領域を実現することである。
【課題を解決するための手段】
【０００９】
本発明は上記問題を克服するものであり、主な具体的な手段は次のとおりである。主な具体的な手段の第１は、走査線が第１の方向に延在して第２の方向に配列し、映像信号線が第２の方向に延在して第１の方向に配列し、前記走査線と前記映像信号線に囲まれた領域にサブ画素が形成され、前記サブ画素が３個組になって画素が形成された表示装置であって、表示領域は、矩形のコーナー部がカットされた形状である表示領域傾斜部を含む異形６角形であり、前記表示領域傾斜部において、前記走査線が延在する方向における前記サブ画素の数は、前記走査線をまたぐ毎に表示領域の片側で、３サブ画素あるいはその倍数で、均一に数が変化することを特徴とする表示装置である。
【００１０】
主な手段の第２は、走査線が第１の方向に延在して第２の方向に配列し、映像信号線が第２の方向に延在して第１の方向に配列し、前記走査線と前記映像信号線に囲まれた領域にサブ画素が形成され、前記サブ画素が３個組になって画素が形成された表示装置であって、表示領域は、矩形のコーナー部がカットされた形状である表示領域傾斜部を含む異形６角形であり、前記表示領域傾斜部の前記走査線に対する角度は、画素の横径をｐｘ、画素の縦径をｐｙとした場合、ｔａｎ−１（ｙｐ／ｘｐ）で表され、前記表示領域傾斜部において、前記走査線が延在する方向における前記サブ画素の数は、前記走査線をまたぐ毎に表示領域の片側で、３サブ画素あるいはその倍数で、均一に数が変化することを特徴とする表示装置である。
【００１１】
本発明は、画素あるいはサブ画素がマトリクスに配置されている液晶表示装置あるいは有機ＥＬ表示装置に適用することが出来る。
【発明の効果】
【００１２】
本発明によれば、表示領域が、矩形のコーナー部がカットされた形状である表示領域傾斜部を含む異形６角形であるような表示装置において、画面の輝度むらを生じないように、ソースドライバにおける映像信号線の大きさの調整が容易になる。したがって、異形６角形の表示領域を有する表示装置において、輝度むらあるいは色むらの発生を防止することが出来る。
【図面の簡単な説明】
【００１３】
【図１】本発明の液晶表示装置の平面図である。
【図２】図１のＡ−Ａ断面図である。
【図３】実施例１の表示領域傾斜部付近の拡大図である。
【図４】実施例１のサブ画素および画素の平面図である。
【図５】実施例１の表示領域傾斜部付近の映像信号線である。
【図６】比較例の表示領域傾斜部付近の拡大図である。
【図７】比較例の表示領域傾斜部付近の映像信号線である。
【図８】実施例２の表示領域傾斜部付近の拡大図である。
【図９】実施例２の表示領域傾斜部付近の映像信号線である。
【図１０】実施例３の表示領域傾斜部付近の拡大図である。
【図１１】実施例３のサブ画素および画素の平面図である。
【図１２】実施例３の表示領域傾斜部付近の映像信号線である。
【発明を実施するための形態】
【００１４】
以下に本発明の内容を実施例を用いて詳細に説明する。なお、以下の実施例では、液晶表示装置を例に説明するが、本発明は液晶表示装置に限らず、画素あるいはサブ画素がマトリクス状に形成された、例えば、有機ＥＬ表示装置等にも適用することが出来る。
【実施例１】
【００１５】
図１は、本発明による液晶表示装置の平面図である。図１の液晶表示装置は、矩形のコーナーをカットした異形の６角形をしている。図２は図１のＡ−Ａ断面図である。図１あるいは図２において、画素１０がマトリクス状に形成されたＴＦＴ基板１００の上にカラーフィルタ等が形成された対向基板２００が配置されている。ＴＦＴ基板１００と対向基板２００の間には図示しない液晶層が挟持されている。
【００１６】
図１において、ＴＦＴ基板１００は対向基板２００よりも大きく形成されており、ＴＦＴ基板１００が対向基板２００よりも大きくなっている部分には走査線２０を駆動するゲートドライバ７０あるいは映像信号線３０を駆動するソースドライバ８０が配置されている。表示領域６０には走査線２０が横方向に延在し、縦方向に配列している。また、映像信号線３０が縦方向に延在し、横方向に配列している。走査線２０とゲートドライバ７０は走査線引出し線２１によって接続しており、映像信号線３０とソースドライバ８０は映像信号線引き出し線３１によって接続している。ソースドライバ８０は全ての映像信号線３０と接続しているが、図１では、図が複雑となるのを防ぐために、最も左側のソースドライバ８０のみ全ての映像信号線３０と接続する映像信号線引き出し線３１を記載している。
【００１７】
図１において、画素形成領域５０は太線で囲ってある。画素１０は３個のサブ画素１１、すなわち、Ｒサブ画素１１（赤サブ画素１１）、Ｇサブ画素１１（緑サブ画素１１）、Ｂサブ画素１１（青サブ画素１１）で構成されている。図１において、画素形成領域５０と表示領域６０は一致しているが、コーナーカットした部分では、表示領域６０は画素形成領域５０の包絡線となっている。この包絡線を表示領域傾斜部６１という。今後、特に必要な場合を除いて、画素形成領域５０と表示領域６０を同意義で使用する。。
【００１８】
図１において、表示領域傾斜部６１では、上側にいくにしたがって、横方向の画素１０の数が減少している。図１では、１走査線ごとに、左右合計で２画素、すなわち、６サブ画素分減少している。図１において、走査線２０と映像信号線３０で囲まれた領域にサブ画素１１が形成されている。また、サブ画素毎に画素電極およびＴＦＴが形成されている。すなわち、表示領域６０はサブ画素１１を単位として構成されている。したがって、表示領域６０に傾斜をつける場合、サブ画素１１を単位として傾斜をつければ、包絡線が最もスムースに形成される。しかし、本発明では、表示領域傾斜部６１においては、３サブ画素を単位として表示領域６０を形成している。すなわち、表示領域傾斜部６１における包絡線は画素基準で、あるいは、３個のサブ画素基準で形成されている。これが本発明の特徴である。
【００１９】
すなわち、画素１０はＲ、Ｇ、Ｂのサブ画素１１から構成されているが、表示領域６０の傾斜部をできるだけスムースにしようとしてサブ画素を基準として表示領域傾斜部６１の包絡線を形成すると、画素１０内において、映像信号線３０の長さが異なることになり、画素１０内での色むらが生ずることになる。本発明では、表示領域傾斜部６１における画素１０内の色むらを防止することを、表示領域傾斜部６１が幾何学的にスムースに形成されることよりも優先している。
【００２０】
図３は図１における表示領域傾斜部６１の拡大平面図である。図３において、映像信号線３０がサブ画素１１毎に縦方向に延在している。表示領域傾斜部６１において、水平方向のサブ画素１１の数は上に行くにしたがって、減少している。サブ画素１１は１走査線２０ごとに、表示領域片側で３個ずつ減少しているので、表示領域両側では、６個ずつ減少していることになる。図３において、ｎ０，ｎ１，ｎ２等を水平方向の表示領域片側のサブ画素１１の数を表している。ｎ０はフルサイズにおける水平方向の表示領域片側のサブ画素１１の数である。したがって、ｎ０−ｎ１＝３、ｎ１−ｎ２＝３、ｎ３−ｎ２＝３等となっている。
【００２１】
図４は、画素１０とサブ画素１１の関係を示す平面図である。図４において、サブ画素３個で１画素が形成されている。サブ画素１１の大きさは横径ｘｓが例えば、５０〜１００μｍ、縦径ｙｐが例えば、１５０〜３００μｍであり、画素全体としては横径ｘｐと縦径ｙｐが等しい正方形となっている。
【００２２】
図５は図３における映像信号線３０のみを取り出した図である。図５において１ｐは１画素分の映像信号線を示している。図５に示すように、映像信号線３０の長さは３本の映像信号線毎に変化している。３本の映像信号線は、３個のサブ画素に対応している。図５の構成では、映像信号線３本毎に映像信号線３０の負荷が変化することになる。したがって、ソースドライバ８０において、同じ映像信号を供給すると、映像信号線３０が短い部分において、負荷が小さい分、各サブ画素１１における映像信号が大きくなり、輝度むらを生ずることになる。
【００２３】
しかし、図５のように、規則的に映像信号線３０の長さを変化させることにより、ソースドライバ８０にこの情報を入力しておくことによって、映像信号線３０毎に映像信号の大きさを調整することを容易に行うことが出来る。また、映像信号線３０の長さは、３サブ画素を含む１画素毎に同じ長さとしているので、仮に、映像信号の大きさの調整が完全でなくとも、色むらが生ずることは防止することが出来る。
【００２４】
図６は、比較例としての、図１における表示領域傾斜部６１の拡大平面図である。図６において、映像信号線３０がサブ画素１１毎に縦方向に延在している。表示領域傾斜部６１において、水平方向のサブ画素１１の数は上に行くにしたがって減少している。しかし、減少の仕方は本発明の場合と異なる。図６においては、サブ画素が１走査線ごとに、片側３個ずつ、すなわち、両側合計で６個ずつ減少している場所と、片側６個ずつ、すなわち、両側合計で１２個ずつ減少している場所が存在している。
【００２５】
図６において、ｎ０，ｎ１，ｎ２等は水平方向の表示領域片側のサブ画素１１の数を表している。ｎ０はフルサイズにおける水平方向の表示領域片側のサブ画素の数である。図６においては、したがって、ｎ０−ｎ１＝６、ｎ１−ｎ２＝３、ｎ３−ｎ２＝６等となっており、サブ画素１１の数の変化が均一ではない。
【００２６】
図７は図６における映像信号線３０のみを取り出した図である。図７において、映像信号線３０の長さは６本おきに変化したり、３本おきに変化したりして均一な変化ではない。映像信号線３０がこのような均一ではない変化をすると、ソースドライバ８０における映像信号の形成が複雑になり、ソースドライバ８０の製造コストが増大する。
【００２７】
これに対して、本発明では、映像信号線３０の長さの変化が、走査線毎に均一なので、ソースドライバ８０における映像信号の修正を容易に行うことが出来る。このように、本発明によれば、液晶表示装置の外形に合わせて表示領域６０の形状を異形にした場合であっても、液晶表示装置の外形を大きくすることなく、色むら、あるいは、輝度むらを防止することが出来る。
【実施例２】
【００２８】
図８は本発明の第２の実施例を示す液晶表示装置におけるコーナーカット部の平面図である。図８は図１における表示領域傾斜部６１の拡大平面図である。図８において、サブ画素は１走査線ごとに、表示領域片側で６個ずつ減少しており、表示領域両側では、１２個ずつ減少していることを除いて、実施例１の図３と同様である。すなわち、図８において、ｎ０，ｎ１，ｎ２等は水平方向の表示領域片側のサブ画素１１の数を表している。ｎ０はフルサイズにおける水平方向の表示領域片側のサブ画素の数である。したがって、ｎ０−ｎ１＝６、ｎ１−ｎ２＝６、ｎ３−ｎ２＝６等となっている。画素１０の形状は図４と同様である。
【００２９】
図９は図８における映像信号線３０のみを取り出した図である。図９において１ｐは１画素分の映像信号線を示している。図９に示すように、映像信号線３０の長さは６本の映像信号線３０毎に変化している。６本の映像信号線３０は、６個のサブ画素に対応している。図９の構成では、映像信号線６本毎に映像信号線の負荷が変化することになる。しかし、図９のように、規則的に映像信号線３０の長さを変化させることにより、ソースドライバ８０にこの情報を入力しておくことによって、映像信号線毎に映像信号の大きさを調整することが出来る。
【００３０】
その他の効果は実施例１で説明したのと同様である。また、本実施例では、１走査線あたり表示領域片側６本の映像信号線の数を変化させているが、これに限らず、９本でも１２本でも同様な効果を得ることが出来る。
【実施例３】
【００３１】
実施例１あるいは２の場合、画素１０は３個のサブ画素１１から構成され、画素１０の形状は図４に示すように、正方形である。実施例１あるいは実施例２の場合、表示領域傾斜部６１の傾斜角θは、ｔａｎ−１（ｙｐ／ｘｐ）あるいは１／２ｔａｎ−１（ｙｐ／ｘｐ）等となり、限定される。したがって、種々の表示領域傾斜角度θに対応することが困難である。
【００３２】
本実施例は、画素１０の形状、あるいはサブ画素１１の形状を表示領域傾斜角度θに合わせて変化させることによって、本発明を任意の角度の表示領域傾斜角度θに対応可能とするものである。図１０は本発明の第３の実施例を示す液晶表示装置におけるコーナーカット部の平面図である。図１０は図１における表示領域傾斜部６１の拡大平面図である。
【００３３】
図１０において、サブ画素は１走査線ごとに、表示領域片側３個ずつ減少していることは実施例１の図３と同じである。また、図１０において、ｎ０，ｎ１，ｎ２等を水平方向の表示領域片側のサブ画素１１の数とし、ｎ０をフルサイズにおける水平方向の表示領域片側のサブ画素の数とした場合、ｎ０−ｎ１＝３、ｎ１−ｎ２＝３、ｎ３−ｎ２＝３等となっていることも図３と同様である。
【００３４】
しかし、図１０における画素形状においては、図１１に示すように、サブ画素１１の縦横比は、図４の場合とは異なっており、画素１０の形状は、正方形ではなく、横に長い長方形となっている。したがって、ｔａｎ−１（ｙｐ／ｘｐ）で表される表示領域傾斜角度θは、実施例１の場合よりも小さくなっている。すなわち、表示領域傾斜角度θを任意の角度としたい場合は、サブ画素１１すなわち画素１０形状を変化させることによって、本発明を任意の表示領域傾斜角度θに対して適用することが出来る。
【００３５】
図１２は図１１から映像信号線３０のみを取り出した図である。図１２において１ｐは１画素分の映像信号線３０を示している。すなわち、映像信号線３０を３本単位で走査線毎に均一に変化させることによって、ソースドライバ８０における映像信号の大きさの調整を容易にしていることは、実施例１等と同様である。
【００３６】
図１０では、表示領域傾斜角度θは４５度よりも小さくする場合を記載したが、θを４５度よりも大きくする場合も同様である。すなわち、この場合は、画素１０の形状を正方形でなく、縦長の長方形とすればよい。このように、画素１０形状を表示領域傾斜部６１に合わせて変化させることにより、本発明を任意の表示領域傾斜角度θに対応することが出来る。
【００３７】
以上は液晶表示装置について説明した。しかし、本発明は液晶表示装置のみでなく、表示領域６０に画素１０あるいはサブ画素１１がマトリクス状に形成された表示装置に適用することが出来る。例えば、有機ＥＬ表示装置は素子基板に発光素子と制御ＴＦＴを有するサブ画素１１が形成され、このようなサブ画素１１がマトリクス状に形成されている。また、各々赤、緑、青の光を発色する３個のサブ画素１１によって画素１０が形成されている。そして、素子基板は、例えば、ガラス板によって封止されている。このような有機ＥＬ表示装置の表示領域についても以上で説明したような本発明を適用することが出来る。
【００３８】
更に、本発明は、図１に示すような２つのコーナーをカットした６角形の形状に限定されることなく、例えば４つのコーナーをカットした形状など、矩形形状からコーナーをカットした形状の表示領域を有する表示装置についても以上で説明したような本発明を適用することが出来る。
【符号の説明】
【００３９】
１０…画素、  １１…サブ画素、  ２０…走査線、  ２１…走査線引出し線、  ３０…映像信号線、  ３１…映像信号線引き出し線、  ５０…画素形成領域、  ６０…表示領域、  ６１…表示領域傾斜部、  ７０…ゲートドライバ、  ８０…ソースドライバ、  １００…ＴＦＴ基板、  ２００…対向基板、  θ…表示領域傾斜角度。
【図１】
2012103335.tif 000003
【図２】
2012103335.tif 000004
【図３】
2012103335.tif 000005
【図４】
2012103335.tif 000006
【図５】
2012103335.tif 000007
【図６】
2012103335.tif 000008
【図７】
2012103335.tif 000009
【図８】
2012103335.tif 000010
【図９】
2012103335.tif 000011
【図１０】
2012103335.tif 000012
【図１１】
2012103335.tif 000013
【図１２】
2012103335.tif 000014